(57)【要約】【課題】  非常に簡単な構成により、活魚等の搬送容器におけるエアポンプ収納部への侵入水を良好に防止し、エアチューブの容器外への露出を最小限にすることにより、より理想的な活魚等の輸送を実現する。【解決手段】  魚介類の保管、輸送用発泡樹脂製容器において、エアポンプ収納部から魚介類収納部へエアチューブを用いて空気吹き込みを行うに際し、エアチューブ用凹溝を、容器本体側壁上端面の嵌合用凸条に設け、該エアチューブ用凹溝の外面側が容器外方に開放部をし、該エアチューブの最外面が該嵌合用凸条の外側面と面一、又は、それより内側にしたことを特徴とする発泡樹脂製容器。【選択図】    図１
2007195537.tif 000002
【特許請求の範囲】
【請求項１】
魚介類収納部とエアポンプ収納部とが隔壁を設けることによって区画された容器本体と、蓋体とからなり、水と魚介類を収容して保管、輸送に供する発泡樹脂製容器において、エアポンプ収納部から魚介類収納部へエアチューブを連通させ空気の吹き込みを行うに際し、エアポンプ収納部から魚介類収納部に至るエアチューブ用凹溝を、容器本体側壁上端面の嵌合用凸条に設け、該エアチューブ用凹溝の外面側が容器外方に開放部を有すると共に、該エアチューブの最外面が該嵌合用凸条の外側面と面一、又はそれより内側としたことを特徴とする発泡樹脂製容器。
【請求項２】
前記エアチューブ用凹溝の内面側に１以上の突起を設け、エアチューブ用凹溝に挿入するエアチューブを該突起に懸架することを特徴とする請求項１記載の発泡樹脂製容器。
【請求項３】
蓋体下端面の嵌合用凹条の内、嵌合用凸条に設けたエアチューブ用凹溝の、魚介類収容部側開口に対応する位置、あるいは、その近傍に、下向きに凸である隆起部を設けることにより、エアチューブを下方に押下げることを特徴とする請求項１又は２記載の発泡樹脂製容器。
【請求項４】
エアポンプ収納部を構成する側壁上端面の嵌合用凸条と隔壁の高さが、魚介類収納部の側壁上端面の嵌合用凸条よりも高いことを特徴とする請求項１〜３のいずれか１項記載の発泡樹脂製容器。
【発明の詳細な説明】
【技術分野】
【０００１】
本発明は、水を張った容器内に、エアポンプから吹き出す空気により、活魚等の魚介類を生存させたまま保管、輸送に供するための発泡樹脂製容器に関する。
【背景技術】
【０００２】
発泡樹脂容器で活魚等を輸送するため、発泡樹脂容器内に満たした水中に収容した活魚等にエアポンプで空気を供給しながら輸送するという手法が従来より広く利用されている。その際、エアポンプを収容したエアポンプ収納部に、水が浸入することによるエアポンプの稼動停止を防止するのが大きな課題の１つであり、種々の試みがなされて来た。その代表的な例が、例えば特許文献１の技術である。
【０００３】
すなわち、特許文献１の内容は、図１１及び図１２に示される。容器本体２に形成されたポンプ収納部２０に収容するポンプＰと、容器本体内に収容する空気分散器Ｓとを接続するエアチューブＴを導通するための凹溝を、隔壁を含まない容器壁に設け、この凹溝は容器本体外へ一旦迂回開放された排水用凹部Ｘを介してポンプ収容室に通ずる隔壁と連通形成されていることを特徴とする活魚輸送用容器を提供している。なお、Ｙは、排水部である。また、特許文献２の図５にも、ポンプ室を形成する隔壁を迂回してエアチューブを配置した技術が開示されている。
【特許文献１】特開２００４−１１３１４０号公報
【特許文献２】特開２００４−１６１２５号公報
【発明の開示】
【発明が解決しようとする課題】
【０００４】
既述したように、従来の活魚等の輸送用容器においては、エアチューブは、容器本体外へ一旦迂回開放された凹溝を経てポンプ収容室に連通されていた。これは、エアチューブを容器本体外へ迂回させ、出来るだけ外側に押しやることにより、ポンプ収容室に水への浸入を防止するものである。しかし、水の浸入を防止するため、エアチューブを容器本体の外側へ押しやればやるほど、活魚収容の作業時に、容器本体外へ迂回したエアチューブを引っ掛けて、エアチューブが引き出され、再度容器本体内へ引き戻す作業が必要となったり、極端な場合には、エアチューブを損傷してしまう等のトラブルが発生し、作業性が低下し易い等の欠点が指摘されている。更に、容器本体外へ一旦大きく迂回開放することにより、作業時、輸送時の容器側壁への水の漏出は大きくなり、容器側壁への汚染の程度も高い傾向にあった。
【課題を解決するための手段】
【０００５】
本発明は、前記のごとく活魚等の輸送容器においてエアを吹き込むエアチューブを伝ってエアポンプ収納部に浸入しようとする水を防止するにつき、エアチューブを容器本体外へ一旦大きく迂回開放させることなく、エアチューブの導通路を、容器本体側壁上端面の嵌合用凸条に設けたエアチューブ用凹溝に留め、該エアチューブの最外面が該嵌合用凸条の外側面と面一、又はそれより内側にすることによって、所期の目的を達しようとするものであって、次の構成からなる。
【０００６】
すなわち、本発明は、魚介類収納部とエアポンプ収納部とが隔壁を設けることによって区画された容器本体と、蓋体とからなり、水と魚介類を収容して保管、輸送に供する発泡樹脂製容器において、エアポンプ収納部から魚介類収納部へエアチューブを連通させ空気の吹き込みを行うに際し、エアポンプ収納部から魚介類収納部に至るエアチューブ用凹溝を、容器本体側壁上端面の嵌合用凸条に設け、該エアチューブ用凹溝の外面側が容器外方に開放部を有すると共に、該エアチューブの最外面が該嵌合用凸条の外側面と面一としたことを特徴とする発泡樹脂製容器に関する。
【０００７】
好ましい実施態様としては、前記エアチューブエアチューブ用凹溝の内面側に１以上の突起を設け、エアチューブ用凹溝に挿入するエアチューブを該突起に懸架することを特徴とする前記記載の発泡樹脂製容器に関し、別の好ましい態様としては、エアポンプ収納部を構成する側壁上端面の嵌合用凸条と隔壁の高さが、魚介類収納部の側壁上端面の嵌合用凸条よりも高いことを特徴とする前記記載の発泡樹脂製容器に関する。
【発明の効果】
【０００８】
本発明は、非常に簡単な構成により、活魚等の輸送容器におけるエアポンプ収納部への浸入水を良好に防止することを可能とし、エアチューブの容器外への露出を最小限にすることにより、作業中にエアチューブを引っ掛けて、容器外へ延長してしまったり、損傷したりすることが有効に防止出来、より理想的な活魚等の輸送を実現し得るので工業的に好ましい。特に、エアチューブ用凹溝の内面側に１以上の突起を設けることにより、エアポンプ収納部側に向かって高い位置に位置するようにする場合においては、水がエアポンプ収納部側に流れないように設定できると共に、この突起自体が、水の流動を阻止する機能を持つことになり、極めて良好な流動阻止を達成し得る。
【発明を実施するための最良の形態】
【０００９】
本発明の容器本体および蓋体からなる発泡樹脂容器を構成する発泡樹脂としては、ポリスチレン等のポリスチレン系樹脂、ポリエチレン、ポリプロピレン等のポリオレフィン系樹脂、ポリウレタン等のポリウレタン系樹脂等の合成樹脂に発泡剤を含浸圧入等させることにより発泡性を付与し、発泡させて得られるものであり、中でもポリスチレン系樹脂が、特性、コストの点から好適に使用される。
【００１０】
また、本発明のエアポンプとは、電池等で駆動し、水槽等に空気を吹き込むためのごく一般的に市販されているエアポンプをいう。空気の吹き込み容量、ないし吹き込み時間等により適宜、市販品の中から選択すれば良い。そして、こうしたエアポンプを使用して、魚介類を生かしたままで輸送するため、容器本体内に存在させる塩分を含んだ水、または海水あるいは淡水（以後、本発明では、いずれであっても単に、「水」と表記する）等を選択し、該水中に空気を吹き込む。
【００１１】
エアポンプは、価格や性能面からほとんどの場合、防水機能を有していないので、エアポンプに直接水がかかったり、浸水するとポンプが停止し、空気の吹き込みが止まるため、活魚が死滅してしまう結果に陥る。本発明では、適宜位置に設けたエアポンプ収納部中に出来るだけ浸水しない排水構造を提案するものであるが、更に、必要により、エアポンプ収納部に防水シートを貼付したり、又は、エアポンプ収納部を閉蓋することができる蓋を使用するのが好ましい。このエアポンプ収納部を閉蓋する蓋は、エアポンプ収納部のみを閉蓋する蓋であっても、エアポンプ収納部と、容器本体を共に閉蓋する蓋であっても良い。
【００１２】
エアポンプ収納部は、容器本体の側壁の内、エアポンプ収納部を構成する側壁部分、並びにエアポンプ収納部を区画する隔壁によって形成されている。そして、本発明では、エアポンプ収納部を構成する側壁部分（以下、「エアポンプ部側壁」と略称することが有る）とエアポンプ収納部を構成する側壁部分以外の部分（以下、「魚介類収容部側壁」と略称することが有る）とを、総称して側壁を表現する場合には、単に側壁と称することが有る。
【００１３】
エアポンプ収納部においては、隔壁の高さを、側壁上端面の嵌合用凸条と同一高さに構成するのを通常とし、この構成が単純なので好ましい。
【００１４】
更に、他の態様としては、エアポンプ部側壁上端面の嵌合用凸条を、魚介類収容部側壁上端面の嵌合用凸条より高く設定し、かつ、隔壁の高さを、エアポンプ部側壁上端面の嵌合用凸条と同一高さに構成することもできる。この構成にすることにより、エアポンプ収納部の周囲が、他よりも高くなるので、水がエアポンプ収納部に浸入するのを効率良く防止することが可能となり極めて有効な態様となる。
【００１５】
エアポンプから空気吹き込みに使用するエアチューブは、エアポンプ部側壁上端面の嵌合用凸条を経由した後、魚介類収容部側壁上端面の嵌合用凸条を経由して容器本体の水収容部の底に至り空気吹き出し口を終端とする。この構造で空気を吹き込むと、魚種の違いや、魚の量、水の量等により非常に泡立つことが有る。こうした水泡は、エアチューブを逆流してエアポンプ収納部中のエアポンプを損傷して、ポンプを停止させてしまう問題が発生する。本発明においては、これを防止する為に、エアポンプ部側壁上端面の嵌合用凸条にエアチューブ用凹溝を設けると共に、魚介類収容部側壁上端面の嵌合用凸条にもエアチューブ用凹溝を設け、かつ該エアチューブの最外面が、該嵌合用凸条の外側面と面一、又はそれより内側になるようにする。すなわち、該エアチューブの最外面が、該嵌合用凸条の外側面と面一を越えることはない。そして,該エアチューブ用凹溝の外面側が容器外方に開放される（この開放された部分を「開放部」と称する）ようにし、該エアチューブ用凹溝内に侵入した水を該開放部より、容器外に排水されるようにする。該エアチューブの最外面がエアポンプ部側壁上端面の嵌合用凸条外側面および魚介類収容部側壁上端面の嵌合用凸条外側面と面一、又はそれ以内になることにより、エアチューブが作業中に作業者と接触することを顕著に減少させることができる。従って、作業者がエアチューブを引っ掛けることにより、セット状態のエアチューブを引きずり出してしまったり、更には、エアチューブの損傷や切断といった交換を要する大きなトラブルの発生を防止することが出来るので、作業効率が向上する。
【００１６】
また、エアチューブを引っ掛けたり、損傷や切断などのトラブルを起しにくいという観点からは、エアチューブの最外面が面一の面よりも内側にあるほうがより好ましい。
【００１７】
エアポンプ収納部に向かって逆流することのある水泡や水は、開放部から自由に容器外に流出するので、それ以上の逆流を阻止できる。その際、エアチューブ用凹溝の開放部において、エアチューブ用凹溝の内面側に１ないしは複数の突起を設けるのが好ましい。この突起の高さは、嵌合用凸条外側面と面一になる高さ以下であり、エアチューブを懸架できる高さであれば良い。この突起は、エアチューブ用凹溝に挿入するエアチューブを該突起に懸架することにより、魚介類収納部側に向かって下り傾斜を付与するためのものである。本発明では、魚介類収納部側に向かって下り傾斜となるので、水泡がエアチューブを逆流してエアポンプ収納部中に浸入することを極めて効果的に防止する。さらに、エアチューブを懸架した突起は、逆流する水泡や水を立ち切る水止めの役割を果すので逆流阻止効果は累積的なものとなる。
【００１８】
また、エアポンプ収納部に水が入らない事を前提として、水抜き目的でエアチューブ用凹溝１３の底部に側壁内外方向の傾斜を設けても構わない。
【００１９】
この突起を設ける際、前記したごとく、エアポンプ部側壁上端面の嵌合用凸条と隔壁の高さを同一高さとしかつ、これら高さを魚介類収容部側壁上端面の嵌合用凸条より高く設定した場合には、エアポンプ収納部側に向かって昇り傾斜がより急傾斜と設定できるので逆流阻止効果は抜群の態様となる。
【００２０】
本発明の発泡樹脂製容器は、魚介類の輸送用として使用されるが、該容器中に収容される内容物、すなわち被輸送物は、水と共に輸送される魚類に限定されず、海老、蟹等の甲殻類、鮑、サザエ等の貝類等の生きたまま輸送されうる魚介類等広義に用いられるものとし、更には海藻、その他、生鮮度を保って輸送することが要求される水産物等にも広く採用可能でありこれらも含むものである。
【実施例】
【００２１】
次に図面を用いて本発明を説明するが、これらは、単なる実施態様であることから、こうした記述により本発明はなんら制限されるものではない。
【００２２】
図１は、本発明の発泡樹脂製容器１の斜視図である。容器本体２は、一面が開口しており、側壁３と底壁４から構成され、その開口は蓋体６により閉蓋される。容器本体２の側壁３の上端面５には嵌合用凸条９を設けており、蓋体６の下端面７と容器本体２の側壁３の上端面５との接触面には、該嵌合用凸条９と互いに嵌合する嵌合用凹条１０を設けている。嵌合用凸条９と嵌合用凹条１０の形状については、互いに嵌合するものであれば特に限定はない。これらの嵌合用凸条９、嵌合用凹条１０は、容器本体２と蓋体６との接触面に連続した環状に設けるのが一般的であるが、部分的に途切れた構造としても良い。そして、嵌合構造は、容器本体内に満たされた水が、閉蓋した後に容器外に漏れ出さない程度にしっかりしたものが好ましく、更に輸送時の衝撃等によっても開蓋しない程度のものがより好ましい。しかし、例え嵌合が緩い場合であっても、粘着テープ等で補強できるので、特に制限はない。
【００２３】
容器本体２は、エアポンプ収納部２０が、魚介類収容部３０と隔壁１１、１２で区画されている。魚介類収容部３０には、活魚等を水と共に収容して輸送、保管に供する。エアポンプ収納部２０中にはエアポンプが収納される。このエアポンプ収納部２０には、万が一水が浸入した際に、排水可能なように適宜排水できる排水孔２３を設けておくことが好ましい。
【００２４】
エアポンプ収納部２０は、容器本体２の側壁３の内、エアポンプ収納部２０を構成する側壁部分、すなわち、エアポンプ部側壁３Ａと、エアポンプ収納部を区画する隔壁１１、１２によって形成されている。なお、本発明では、側壁３は、エアポンプ部側壁３Ａとエアポンプ部側壁３Ａ以外の部分、すなわち、魚介類収容部側壁３Ｂとから成り立っている。
【００２５】
図１では、エアポンプ収納部２０の隔壁１１、１２の高さは、側壁３の上端面５の嵌合用凸条９（厳密に表現すれば、エアポンプ部側壁３Ａの上端面５の嵌合用凸条９及び魚介類収容部側壁３Ｂの上端面５の嵌合用凸条９）と同一高さに構成している。通常は、このように、隔壁１１、１２の高さと側壁３の上端面５の嵌合用凸条９高さを同一高さにするのが単純なので好ましい。隔壁１１を挟んだエアポンプ部側壁３Ａの上端面５の嵌合用凸条９と魚介類収容部側壁３Ｂの上端面５の嵌合用凸条９には、図４に示すようにエアチューブ用凹溝１３が設けられる。
【００２６】
図２は、蓋体６の斜視図である。蓋体６の天板４３には空気抜き孔を空ける為の孔埋め部４０が設けられ、孔埋め部４０を棒状物で突いて開孔させた場合の水や水泡の流下を助ける溝４２が形成されている。このＡ−Ａ矢視図が図３である。蓋体６の下端面７の接触面には、容器本体２の嵌合用凸条９と互いに嵌合する凹条１０を設けている。なお、この図３の例では、エアポンプ収納部２０を閉蓋する部分の凹条１０’は、隔壁１１、１２を跨いで嵌合する形状にしている。図４に示されるエアチューブ用凹溝１３は、略水平で、エアチューブＴを挿入可能に設けられ、このエアチューブ用凹溝１３にはエアポンプ部側開口１３ａと、魚介類収容部側開口１３ｂを有する。
【００２７】
このエアチューブ用凹溝１３にエアチューブＴを挿入した場合には、挿入されたエアチューブＴの最外面は、嵌合用凸条９の外側面と面一となるように設計されている。そして、嵌合用凸条９の外側面からエアチューブを見た場合には、エアチューブ用凹溝１３からエアチューブＴの一部が容器外方に開放されているので見える状態となる。このエアチューブＴが嵌合用凸条９の外側面から見える部分が開放部１４である。魚介類収容部側開口１３ｂからエアチューブＴを伝って逆流することのある水泡等は、この開放部１４から自由に容器外に流出するので、それ以上の逆流を阻止できる。なお、魚介類収容部３０の底壁４には、エアチューブＴないしは空気分散器Ｓが自由に動き回るのを止める目的のため、図１や図４で示される溝３５や凹部３６を設けたり、図１１に示されるごとき止着部３７を設けたりすることができる。
【００２８】
エアチューブ用凹溝１３の部分を拡大した平面図が図５である。図５に示されるエアチューブ用凹溝１３は、略水平で、エアポンプ部側開口１３ａの深さと、魚介類収容部側開口１３ｂの深さは同一という例を示したが、このような場合においては、開放部１４の位置におけるエアチューブ用凹溝１３の内面側に、容器外方に向かって突起１５を設けるのが好ましい。突起１５の数は、１個でも良いが、２以上の複数個でも良い。この突起１５の側壁厚み方向の高さは、嵌合用凸条外側面と面一になる高さ以下であり、エアチューブＴを懸架できる高さであれば良い。この突起１５にエアチューブを懸架することでエアチューブＴは、エアポンプ部側開口１３ａから魚介類収容部側開口１３ｂに向かって下り傾斜となるので水泡の逆流を良好に阻止することができる。
【００２９】
図６は、図５の正面図を表わす。突起１５の形状は、エアチューブＴが懸架できれば良いので全く自由であるが、例えば、図５、図６に示される形状のものが例示される。この例示では、突起１５の垂直方向の高さは、エアチューブＴの好ましい傾斜に合致させている。突起１５の水平方向の長さは図示したものよりも長くすることにより、エアチューブＴの傾斜をより安定させることが出来るので好ましい。開放部１４には、この開放部１４に連続させ、側壁上端面５から側壁に渡って排水傾斜１６を設けている。
【００３０】
一般にエアポンプで使用するエアチューブＴは、かなりの形態保持性を有しているので、エアチューブ用凹溝１３が略水平であっても、突起１５にエアチューブＴを懸架することにより傾斜を付与する事が可能である。
【００３１】
本発明の別の態様としては、エアチューブ用凹溝１３は、略水平としておき、エアポンプ部側開口１３ａの深さを浅くし、魚介類収容部側開口１３ｂの深さを深くすることによっても、ある程度の逆流防止効果を得ることも出来るが、この対応に突起１５を付加するとより効果が増すので好ましい。または、エアチューブ用凹溝１３を、略水平とせず、エアポンプ部側から魚介類収容部側に向かって下り傾斜とし、その際、エアポンプ部側開口１３ａの深さと、魚介類収容部側開口１３ｂの深さも、このエアチューブ用凹溝１３の傾斜に対応したものであれば、前記した突起１５を省略する事も出来る。
【００３２】
このような工夫をする場合において、蓋体６の下端面７に設ける嵌合用凹条１０に次の構造を付加する事で、エアチューブＴの傾斜をより確実につけることができるので、逆流をより有効に防止することが出来る。すなわち、図７及び図８に示される蓋体下端面の嵌合用凹条１０の内、嵌合用凸条９に設けたエアチューブ用凹溝１３の、魚介類収容部側開口１３ｂに対応する位置、あるいは、その近傍に対応する位置において、蓋体下端面の嵌合用凹条１０には、下向きに凸である隆起部４５を設ける。この隆起部４５により、エアチューブＴは、閉蓋した時に、強制的に下方に押下げられるので、エアポンプ部側開口１３ａよりも魚介類収容部側開口１３ｂにおけるエアチューブＴの位置を常に低く固定することが可能となり好ましい。上記の内容は、図７に蓋体６の下端面７からの部分平面図で表し、図８には、図７のＢ−Ｂ矢視の部分断面を示している。
【００３３】
図９は、容器本体２の別の実施態様を示すものであって、エアポンプ部側壁３Ａの上端面５の嵌合用凸条９を、魚介類収容部側壁３Ｂの上端面５の嵌合用凸条９より高く設定している。そして、隔壁の高さは、エアポンプ部側壁３Ａの上端面５の嵌合用凸条９と同一高さに構成している。この構成にすることで、エアポンプ収納部２０の周囲が、他の部位の嵌合用凸条９の高さよりも高くなるので、水がエアポンプ収納部２０に浸入するのを効率良く防止することが可能となり極めて有効である。この構造でエアチューブ用凹溝１３を設ければ、エアポンプ収納部２０側に設けたエアポンプ部側開口１３ａ方向におけるエアチューブＴの昇り傾斜は、より急勾配となるので逆流阻止効果はより強力にすることができる。更には、この構造に突起１５を付加することにより、勾配のコントロールはより自在に、より急勾配にすることも可能であるから、効果は大となる。
【図面の簡単な説明】
【００３４】
【図１】本発明の発泡樹脂製容器の一実施態様を示す斜視図である。
【図２】蓋体の１実施態様を示す斜視図である。
【図３】蓋体のＡ−Ａ矢視図である。
【図４】図１の平面図である。
【図５】図４の一部を拡大した平面図である。
【図６】図５の正面図を表わす。
【図７】蓋体の下端面から見た部分平面図である。
【図８】図７のＢ−Ｂ矢視の部分断面である。
【図９】本発明の発泡樹脂製容器の他の実施態様を示す斜視図である。
【図１０】図９の一部を拡大した斜視図である。
【図１１】従来の実施態様を示す平面図である。
【図１２】図１１の一部を拡大した側面図である。
【符号の説明】
【００３５】
１    発泡樹脂製容器
２    容器本体
３    側壁
３Ａ  エアポンプ部側壁
３Ｂ  魚介類収容部側壁
４    底壁
５    上端面
６    蓋体
７    下端面
９    嵌合用凸条
１０  嵌合用凹条
１１、１２    隔壁
１３    エアチューブ用凹溝
１３ａ  エアポンプ部側開口
１３ｂ  魚介類収容部側開口
１４    開放部
１５    突起
１６    排水傾斜
２０    エアポンプ収納部
３０    魚介類収容部
２３    排水孔
４０    孔埋め部
４２    溝
４３    天板
４５    隆起部
Ｐ    ポンプ
Ｔ    エアチューブ
Ｓ    空気分散器
【図１】
2007195537.tif 000003
【図２】
2007195537.tif 000004
【図３】
2007195537.tif 000005
【図４】
2007195537.tif 000006
【図５】
2007195537.tif 000007
【図６】
2007195537.tif 000008
【図７】
2007195537.tif 000009
【図８】
2007195537.tif 000010
【図９】
2007195537.tif 000011
【図１０】
2007195537.tif 000012
【図１１】
2007195537.tif 000013
【図１２】
2007195537.tif 000014